(57)【要約】【課題】部品点数の増加を抑制しながら部品の破損を防止すること。【解決手段】液晶パネル１０１は、様々な画像を表示する。タッチパネル１０３は、液晶パネル１０１の裏面に貼付されており、液晶パネル１０１に対する接触を検知する。液晶モジュール１０４は、液晶パネル１０１に表示させる画像を出力する。基板１０７は、制御回路を有しており、液晶モジュール１０４に画像を出力させたり、タッチパネル１０３における接触位置に応じて適切な処理を実行したりする。液晶フレキ１０９は、可撓性がある材料で形成されたフレキシブルケーブルであり、基板１０７の制御回路と液晶モジュール１０４を接続する。スペーサ１１０は、絶縁体で形成され、基板１０７と液晶フレキ１０９の間の隙間に間挿されている。スペーサ１１１は、可動側筐体１００に固定され、スペーサ１１０との間で液晶フレキ１０９を挟む位置に設けられている。【選択図】図３
2010239323.tif 000002
【特許請求の範囲】
【請求項１】
画像を表示する液晶部と、
一方の面と前記液晶部との間に他の部品を挟み、他方の面に制御回路が設けられる基板と、
前記液晶部と前記制御回路とを接続する接続部と、
前記基板の前記他方の面と前記接続部の間に間挿され、絶縁体で形成されたスペーサ部材と
を有することを特徴とする携帯端末装置。
【請求項２】
前記接続部は、
可撓性を有するケーブルと、
前記ケーブルを前記制御回路に接続するコネクタとを有し、
前記スペーサ部材は、
前記コネクタによって前記ケーブルが前記制御回路に接続された場合の前記他方の面と前記ケーブルとの間の距離に等しい厚みを有し、前記他方の面と前記ケーブルとの間に間挿されることを特徴とする請求項１記載の携帯端末装置。
【請求項３】
前記液晶部は、
前記接続部によって前記制御回路と接続され、画像を出力する液晶モジュールと、
前記液晶モジュールによって出力される画像を表示する液晶パネルと、
前記液晶パネルに貼付され、前記液晶パネルに対する接触を検知するタッチパネルと
を有することを特徴とする請求項１記載の携帯端末装置。
【請求項４】
前記液晶モジュールは、
画像を出力する第１の部分と、
前記第１の部分よりも薄く形成された第２の部分とを有し、
前記スペーサ部材は、
前記第２の部分に対応する位置において前記基板の他方の面と前記接続部の間に間挿されることを特徴とする請求項３記載の携帯端末装置。
【請求項５】
前記スペーサ部材との間で前記接続部の一部を挟む位置に配置され、前記接続部の一部の可動範囲を狭窄する補助部材をさらに有することを特徴とする請求項１記載の携帯端末装置。
【発明の詳細な説明】
【技術分野】
【０００１】
本発明は、携帯端末装置に関する。
【背景技術】
【０００２】
近年、例えば携帯電話機などの携帯端末装置の多機能化が進んでおり、１つの装置に多数の機能が設けられるのが一般的となっている。具体的には、例えば、携帯電話機にカメラ機能が設けられたり、「ワンセグ」と呼ばれるテレビ放送を受信して表示する機能が設けられたりしている。このような携帯端末装置においては、それぞれの機能によって適した携帯端末装置の形状が異なっている。すなわち、携帯端末装置には、通常、操作部と表示部が備えられており、機能によって操作部と表示部の好適な位置関係が異なっている。
【０００３】
具体的に例を挙げると、例えばスライド型携帯電話機は、操作部を備えた固定側筐体と表示部を備えた可動側筐体とに大きく２分割された筐体を有しており、非使用時には固定側筐体と可動側筐体とが重ねられた、最も小型になる形状が好適である。また、電話として使用される際には、固定側筐体に対して可動側筐体がスライドされ、装置全体が可能な限り細長くなる形状が好適である。さらに、ワンセグ視聴の際には、テレビ映像を表示するために可動部側筐体の表示部が横長となる形状が好適である。
【０００４】
このように、携帯電話機などの携帯端末装置の各機能には、それぞれ異なる装置形状が適しているため、最近の携帯端末装置は、様々な形状に変形可能となっている。すなわち、例えばスライド型携帯電話機の中には、可動側筐体が固定側筐体に対してスライドするのみではなく、可動側筐体がスライドした後、表示部が横長となるように可動側筐体が回転するものがある。したがって、ユーザは、スライド型電話を用いて通話する場合には、可動側筐体を固定側筐体に対してスライドさせ、ワンセグ視聴をする場合には、さらに可動側筐体を回転させる。これにより、通話の際は、携帯電話機を細長い装置形状として通話しやすくすることができ、ワンセグ視聴の際は、携帯電話機を表示部が横長となる装置形状として表示部の画面サイズを最大限に利用したテレビ映像の表示をすることができる。また、ワンセグ視聴の際、表示部のみが横長となり、操作部を備えた固定側筐体は縦長のままであるため、固定側筐体の操作部における操作も容易となる。
【先行技術文献】
【特許文献】
【０００５】
【特許文献１】特開２００８−１０３９８９号公報
【発明の概要】
【発明が解決しようとする課題】
【０００６】
ところで、上述したような携帯端末装置においては、操作性をより向上するため、例えば液晶及びタッチパネルなどを用いて表示部と操作部を一体化させることが頻繁に行われている。このような携帯端末装置であれば、ユーザは、表示部に表示された画像を視認しながら、実際に表示部に触れることにより携帯端末装置を操作することができ、より感覚的でわかりやすい操作性を実現することができる。
【０００７】
しかしながら、表示部に対するユーザの接触の機会が増加すると、表示部に外圧が加わり装置内部でガラスなどの破損が生じることがあるという問題がある。すなわち、携帯端末装置を操作するユーザは、例えば表示部に表示されたアイコンなどを押下するが、表示部には、透明材であるガラスなどの破損しやすい部品が設けられており、押下によって部品が破損する可能性が高い。
【０００８】
特に、スライド型携帯電話機などのように、非使用時にも表示部が表面に露出している携帯端末装置では、非使用時にも表示部に外圧がかかる虞があり、部品を外圧による破損から保護することは重要となっている。また、折り畳み型携帯電話機などのように、非使用時には表示部が表面に露出しない携帯端末装置であっても、タッチパネルを採用していれば、使用時にはユーザが表示部に触れるため、部品が破損する可能性はある。
【０００９】
このため、破損しやすい部品の周囲に強化用の新たな部品を配置して補強することなども考えられるが、部品点数の増加や装置の大型化を招くと考えられるため、あまり望ましくない。
【００１０】
開示の技術は、かかる点に鑑みてなされたものであって、部品点数の増加を抑制しながら部品の破損を防止することができる携帯端末装置を提供することを目的とする。
【課題を解決するための手段】
【００１１】
本願が開示する携帯端末装置は、１つの態様において、画像を表示する液晶部と、一方の面と前記液晶部との間に他の部品を挟み、他方の面に制御回路が設けられる基板と、前記液晶部と前記制御回路とを接続する接続部と、前記基板の前記他方の面と前記接続部の間に間挿され、絶縁体で形成されたスペーサ部材とを有する。
【発明の効果】
【００１２】
本願が開示する携帯端末装置の１つの態様によれば、部品点数の増加を抑制しながら部品の破損を防止することができる。
【図面の簡単な説明】
【００１３】
【図１】図１は、一実施の形態に係る携帯端末装置の外観を示す斜視図である。
【図２−１】図２−１は、一実施の形態に係る携帯端末装置の第１の状態を示す平面図である。
【図２−２】図２−２は、一実施の形態に係る携帯端末装置の第２の状態を示す平面図である。
【図３】図３は、一実施の形態に係る可動側筐体の構成を示す断面図である。
【図４】図４は、他の実施の形態に係る携帯端末装置の外観を示す図である。
【図５】図５は、さらに他の実施の形態に係る携帯端末装置の外観を示す図である。
【発明を実施するための形態】
【００１４】
以下、本願が開示する携帯端末装置の一実施の形態について、図面を参照して詳細に説明する。以下においては、携帯端末装置として、携帯電話機を例に挙げて説明する。なお、この実施の形態により本発明が限定されるものではない。
【００１５】
図１は、一実施の形態に係る携帯端末装置の外観を示す斜視図である。この携帯端末装置は、可動側筐体１００と固定側筐体２００とを有するスライド型携帯電話機である。
【００１６】
可動側筐体１００は、固定側筐体２００に対してスライド可能に取り付けられており、携帯端末装置の非使用時には固定側筐体２００と重なる一方、固定側筐体２００に設けられたキー操作時には固定側筐体２００に対して長手方向にスライドする。また、可動側筐体１００は、表面に液晶パネル１０１及びレシーバ孔１０２を備えている。
【００１７】
液晶パネル１０１は、可動側筐体１００に備えられた表示部であり、様々な画像を表示する。また、液晶パネル１０１の裏面には図示しないタッチパネルが貼付されており、タッチパネルが液晶パネル１０１に対する接触を検知することにより、操作部としても機能する。
【００１８】
レシーバ孔１０２は、携帯端末装置内部のレシーバ付近に設けられた貫通孔であり、レシーバから出力される通話音声を携帯端末装置外部へ誘導する。したがって、ユーザが通話する際には、レシーバ孔１０２に耳をつけて使用することになる。
【００１９】
固定側筐体２００は、可動側筐体１００の液晶パネル１０１が設けられる面とは反対側の面で可動側筐体１００と接している。固定側筐体２００は、図示しない０から９までのキーなどを含むキー操作部を有しているが、携帯端末装置の非使用時には、キー操作部は、可動側筐体１００との間に格納されている。
【００２０】
具体的には、携帯端末装置の非使用時には、例えば図２−１に示すように、可動側筐体１００と固定側筐体２００とが完全に重なっており、可動側筐体１００の液晶パネル１０１が表面に露出しているのに対し、固定側筐体２００のキー操作部は格納されている。このため、非使用時に固定側筐体２００のキー操作部が誤って操作されることがなく、誤動作を防止することができる。なお、図２−１に示す状態のときに、必ずしも携帯端末装置が使用されていないとは限らない。すなわち、可動側筐体１００と固定側筐体２００が重なっており、固定側筐体２００のキー操作部が格納されていても、携帯端末装置は、様々な処理をすることができる。
【００２１】
具体的には、後に可動側筐体１００のＩ−Ｉ線断面を示して説明するように、液晶パネル１０１の裏面にはタッチパネルが貼付されているため、キー操作部が格納された状態でも液晶パネル１０１への接触により、必要な操作は可能である。すなわち、液晶パネル１０１に表示されるアイコンなどの押下により、例えば通話の開始や終了の操作などができるようになっている。他にも、例えば固定側筐体２００にカメラのレンズが備えられている場合には、レンズによる撮像画像が液晶パネル１０１に表示され、液晶パネル１０１への接触により、表示倍率や表示位置の調整などができるようになっていても良い。
【００２２】
一方、例えば電話番号の入力などの際には、固定側筐体２００に備えられたキー操作部に対するキー操作が行われる。この場合には、可動側筐体１００が固定側筐体２００に対してスライドされることにより、例えば図２−２に示すように、固定側筐体２００のキー操作部２０１が表面に露出した状態となる。なお、可動側筐体１００のスライドに関して、ユーザの手動により可動側筐体１００がスライドするようになっていても良いし、例えば固定側筐体２００の側面に配置されたボタンの押下により可動側筐体１００がスライドするようになっていても良い。
【００２３】
図２−２に示す状態では、キー操作部２０１におけるキー操作が受け付けられ、液晶パネル１０１は主に表示部として機能する。ただし、図２−２に示す状態でも、液晶パネル１０１に対する接触により操作が可能となっていても良い。また、例えばワンセグ視聴の際には、可動側筐体１００が回転し、図２−２では縦長となっている液晶パネル１０１が横長となるように変形しても良い。
【００２４】
次に、可動側筐体１００の内部の構成について説明する。図３は、図２−１に示したＩ−Ｉ線における可動側筐体１００の断面図である。同図に示すように、可動側筐体１００の表面には、液晶パネル１０１が取り付けられており、内部には、タッチパネル１０３、液晶モジュール１０４、導光板１０５、板金１０６、基板１０７、コネクタ１０８、液晶フレキ１０９、スペーサ１１０、スペーサ１１１及びドライバ１１２が格納されている。
【００２５】
タッチパネル１０３は、液晶パネル１０１の裏面に貼付されており、液晶パネル１０１に対する接触を検知する。タッチパネル１０３は、検知した接触位置を基板１０７に設けられた図示しない制御回路へ通知する。
【００２６】
液晶モジュール１０４は、ガラスなどの破損しやすい透明材で形成されており、液晶パネル１０１に表示させる画像を出力する。液晶モジュール１０４は、液晶フレキ１０９によって基板１０７に設けられた図示しない制御回路と接続されており、制御回路から液晶フレキ１０９によって伝送された画像を出力する。液晶モジュール１０４の液晶フレキ１０９との接続部分付近は、他の部分よりも薄くなっており破損しやすい。すなわち、液晶モジュール１０４の液晶フレキ１０９との接続部分付近は、例えば１枚のガラスで形成されているのに対し、他の部分は２枚のガラスを貼り合わせて形成されている。
【００２７】
導光板１０５は、端部に設けられたＬＥＤ（Light Emitting Diode）から供給される光によって発光し、液晶モジュール１０４から出力される出力画像の光源となる。板金１０６は、可動側筐体１００に固定されており、基板１０７などの他の部品を取り付ける取付部を有している。基板１０７は、図示しない制御回路を有しており、液晶モジュール１０４に画像を出力させたり、タッチパネル１０３における接触位置に応じて適切な処理を実行したりする。
【００２８】
コネクタ１０８は、液晶フレキ１０９の端部に設けられており、基板１０７の図示しない制御回路に取り付けられる。すなわち、コネクタ１０８は、液晶フレキ１０９を基板１０７に接続させる。
【００２９】
液晶フレキ１０９は、可撓性がある材料で形成されたフレキシブルケーブルであり、基板１０７の図示しない制御回路と液晶モジュール１０４を接続する。すなわち、液晶フレキ１０９は、導光板１０５及び板金１０６などの他の部品を隙間なく挟んでいる液晶モジュール１０４と基板１０７とを接続するために、中央付近で湾曲して折り返すことにより、液晶モジュール１０４及び基板１０７の互いに逆方向を向く面を接続している。そして、液晶フレキ１０９は、例えば制御回路から液晶モジュール１０４へ出力画像を伝送する。
【００３０】
スペーサ１１０は、絶縁体で形成されるとともに、コネクタ１０８によって基板１０７に接続された場合の基板１０７の表面から液晶フレキ１０９までの距離に等しい厚みを有する部品である。スペーサ１１０は、液晶モジュール１０４の液晶フレキ１０９との接続部分付近の下方であって、基板１０７と液晶フレキ１０９の間の隙間に間挿されている。すなわち、スペーサ１１０は、液晶モジュール１０４の薄く破損しやすい部分と重なる範囲に１つの層を形成しており、液晶フレキ１０９が基板１０７に接するのを防止するとともに、基板１０７と液晶フレキ１０９との間に空間が形成されるのを防止している。
【００３１】
スペーサ１１１は、可動側筐体１００に固定され、スペーサ１１０との間で液晶フレキ１０９を挟む位置に設けられている。すなわち、スペーサ１１１は、スペーサ１１０と同様に、液晶モジュール１０４の薄く破損しやすい部分と重なる範囲に１つの層を形成しており、液晶フレキ１０９と可動側筐体１００の内面との間に空間が形成されるのを防止している。
【００３２】
このように、スペーサ１１０が基板１０７と液晶フレキ１０９の間に間層されるとともに、スペーサ１１０に対向してスペーサ１１１が配置されることにより、液晶パネル１０１が押下された場合の液晶フレキ１０９の可動範囲を狭窄している。そして、液晶フレキ１０９の可動範囲がほとんどないため、液晶パネル１０１が押下されても、液晶モジュール１０４、導光板１０５、板金１０６及び基板１０７の各層が撓むことがなく、液晶モジュール１０４の破損を防止することができる。
【００３３】
ドライバ１１２は、液晶モジュール１０４の液晶フレキ１０９との接続部分付近に設けられ、液晶モジュール１０４を駆動するドライバである。ドライバ１１２は、液晶フレキ１０９によって伝送される画像を液晶モジュール１０４から出力させる。
【００３４】
本実施の形態においては、液晶モジュール１０４がガラスなどの破損しやすい材料で形成されており、液晶パネル１０１が押下されて液晶モジュール１０４が撓むと、薄くなっている液晶フレキ１０９との接続部分付近が破損する可能性が高くなっている。このため、本実施の形態においては、基板１０７と液晶フレキ１０９の間に液晶フレキ１０９を絶縁するためのスペーサ１１０を間挿し、液晶モジュール１０４の薄い部分の下方であって、基板１０７と液晶フレキ１０９の間に何もない空間の層が形成されないようにしている。
【００３５】
また、本実施の形態においては、スペーサ１１０と液晶フレキ１０９のさらに下方には、スペーサ１１１が設けられており、液晶フレキ１０９と可動側筐体の内面との間に何もない空間の層が形成されないようにしている。これにより、液晶モジュール１０４の薄い部分の範囲では、液晶パネル１０１から可動側筐体１００の内面の間のいずれの部分にも空間の層が形成されておらず、液晶モジュール１０４の薄い部分が撓むことを防止することができる。
【００３６】
結果として、たとえ液晶パネル１０１が押下されて圧力が加わっても、液晶モジュール１０４の液晶フレキ１０９との接続部分付近が撓むことがなく、この部分が破損する可能性を低減することができる。また、基板１０７と液晶フレキ１０９が直接接触することがなく、スペーサ１１０によって絶縁されているため、基板１０７の図示しない制御回路などに流れる電流が液晶フレキ１０９にも流れて誤動作が発生することを防止することができる。
【００３７】
このように、スペーサ１１０は、液晶モジュール１０４の破損を防止するために新たに設けられるのではなく、基板１０７と液晶フレキ１０９を絶縁する部品としても設けられているため、スペーサ１１０を設けることによる部品点数の増加は最小限に抑制されている。
【００３８】
さらに、スペーサ１１０は、コネクタ１０８によって基板１０７に接続された場合の基板１０７の表面から液晶フレキ１０９までの距離に等しい厚みを有するため、コネクタ１０８を基板１０７に取り付ける際、液晶フレキ１０９を適切な位置に支持する。これにより、コネクタ１０８の取り付け作業が容易になり、携帯端末装置の組み立てを効率化することができる。
【００３９】
以上のように、本実施の形態によれば、液晶モジュールと基板によって隙間が生じないように他の部品が挟まれるとともに、液晶モジュールと基板が液晶フレキによって接続され、基板と液晶フレキの間に絶縁体で形成されたスペーサが設置される。このため、何もない空間の層が形成されることがなく、液晶パネルの押下によって液晶モジュールが加圧されても、液晶モジュールが撓まない。結果として、液晶モジュールの破損を防止することができる。また、スペーサは、液晶フレキの絶縁のためにも必要な部品であるため、液晶モジュールの破損防止のためだけに新たな部品を設けることはなく、部品点数の増加を抑制することができる。
【００４０】
なお、上記一実施の形態においては、スライド型携帯電話機を携帯端末装置の一例として挙げたが、他にも例えば折り畳み型携帯電話機やストレート型携帯電話機などにも上記一実施の形態と同様の構成を適用することができる。
【００４１】
具体的に、例えば図４に示す折り畳み型携帯電話機は、液晶パネル３０１を備えた可動側筐体３００とキー操作部４０１を備えた固定側筐体４００とを有している。この折り畳み型携帯電話機が折り畳まれた状態では、可動側筐体３００と固定側筐体４００が重なり、液晶パネル３０１及びキー操作部４０１は格納された状態となる。しかし、使用時には、液晶パネル３０１及びキー操作部４０１が表面に露出した状態となるため、液晶パネル３０１への接触により操作が可能な場合には、可動側筐体３００内部の液晶モジュールが加圧されることがある。
【００４２】
そこで、上述したように、可動側筐体３００内部の液晶モジュールと基板によって隙間が生じないように他の部品を挟むとともに、液晶モジュールと基板を液晶フレキで接続し、基板と液晶フレキの間に絶縁体で形成されたスペーサを設置する。これにより、液晶パネル３０１が押下されて液晶モジュールが加圧されても、液晶モジュールが撓むことがなく、液晶モジュールの破損を防止することができる。
【００４３】
また、例えば図５に示すストレート型携帯電話機は、１つの筐体５００に液晶パネル５０１とキー操作部５０２とが設けられている。したがって、使用時であっても非使用時であっても液晶パネル５０１が表面に露出していることになり、筐体５００内部の液晶モジュールが加圧されることがある。
【００４４】
そこで、上述したように、筐体５００内部の液晶モジュールと基板によって隙間が生じないように他の部品を挟むとともに、液晶モジュールと基板を液晶フレキで接続し、基板と液晶フレキの間に絶縁体で形成されたスペーサを設置する。これにより、液晶パネル５０１が押下されて液晶モジュールが加圧されても、液晶モジュールが撓むことがなく、液晶モジュールの破損を防止することができる。
【符号の説明】
【００４５】
１００、３００  可動側筐体
１０１、３０１、５０１  液晶パネル
１０２  レシーバ孔
１０３  タッチパネル
１０４  液晶モジュール
１０５  導光板
１０６  板金
１０７  基板
１０８  コネクタ
１０９  液晶フレキ
１１０、１１１  スペーサ
１１２  ドライバ
２００、４００  固定側筐体
２０１、４０１、５０２  キー操作部
５００  筐体
【図１】
2010239323.tif 000003
【図２−１】
2010239323.tif 000004
【図２−２】
2010239323.tif 000005
【図３】
2010239323.tif 000006
【図４】
2010239323.tif 000007
【図５】
2010239323.tif 000008